(57)【特許請求の範囲】
【請求項１】
制御プレーンとユーザプレーンとの双方のデータを用いて無線通信を行う無線通信端末と、
前記無線通信端末と前記制御プレーンのデータを送受信する制御プレーン用基地局と、
前記無線通信端末と前記ユーザプレーンのデータを送受信するユーザプレーン用基地局と、
前記無線通信端末と前記ユーザプレーン用基地局とを制御する制御装置と、を具備する無線通信システムであって、
前記ユーザプレーン用基地局配下の全ての無線通信端末が、同じ受信タイミングで、前記ユーザプレーン用基地局からの報知情報を間欠的に受信し、
前記ユーザプレーン用基地局は、前記受信タイミングに合わせて、前記報知情報を間欠的に送信することを特徴とする無線通信システム。
【請求項２】
前記制御装置は、前記ユーザプレーン用基地局のトラヒック量、該ユーザプレーン用基地局配下の各無線通信端末のコーデック周期及びバッテリー残量の少なくとも一つに基づいて、前記受信タイミングを決定し、
前記無線通信端末は、前記制御装置から前記制御プレーン用基地局を介して、前記制御装置によって決定された前記受信タイミングを受信し、受信した前記受信タイミングで、前記ユーザプレーン用基地局からの前記報知情報を間欠的に受信することを特徴とする請求項１に記載の無線通信システム。
【請求項３】
前記無線通信端末は、自端末のコーデック周期、バッテリー残量、要求ＱｏＥ及び要求ＱｏＳの少なくとも一つに基づいて、前記受信タイミングを決定し、前記制御プレーン用基地局を介して、決定した前記受信タイミングを前記制御装置に送信し、
前記制御装置は、前記無線通信端末によって決定された前記受信タイミングを前記ユーザプレーン用基地局配下の全ての無線通信端末に適用可能であるか否かを判断し、前記制御プレーン用基地局を介して判断結果を前記無線通信端末に送信し、
前記無線通信端末は、前記制御装置から受信した前記判断結果が肯定的である場合、自端末によって決定された前記受信タイミングで、前記ユーザプレーン用基地局からの報知情報を間欠的に受信することを特徴とする請求項１に記載の無線通信システム。
【請求項４】
前記ユーザプレーン用基地局は、自局に接続する無線通信端末数、自局に接続する無線通信端末のバッテリー残量、自局のトラヒック量の少なくとも一つに基づいて、前記受信タイミングを決定し、
前記無線通信端末は、前記ユーザプレーン用基地局によって決定された前記受信タイミングを受信し、受信した前記受信タイミングで、前記ユーザプレーン用基地局からの報知情報を間欠的に受信することを特徴とする請求項１に記載の無線通信システム。
【請求項５】
前記無線通信端末は、自端末のコーデック周期、バッテリー残量、要求ＱｏＥ及び要求ＱｏＳの少なくとも一つに基づいて、前記受信タイミングを決定し、前記制御装置と前記ユーザプレーン用基地局との双方に対して前記制御プレーン用基地局を介して、決定した前記受信タイミングを送信し、
前記制御プレーン用基地局は、自局のバッテリーバッファ量に基づいて、前記無線通信端末によって決定された前記受信タイミングを変更し、前記制御装置に対して、変更した前記受信タイミングを送信し、
前記制御装置は、前記無線通信端末によって決定された前記受信タイミングと、前記制御プレーン用基地局によって変更された前記受信タイミングとに基づいて、前記ユーザプレーン用基地局配下の全ての無線通信端末に適用すべき受信タイミングを決定し、
前記無線通信端末は、前記制御装置から前記制御プレーン用基地局を介して、前記制御装置によって決定された前記受信タイミングを受信し、受信した前記受信タイミングで、前記ユーザプレーン用基地局からの報知情報を間欠的に受信することを特徴とする請求項１に記載の無線通信システム。
【請求項６】
前記無線通信端末と前記ユーザプレーン用基地局とは、定期的な更新ポイントでシステム情報を更新するように構成されており、
前記無線通信端末は、次の更新タイミングの後に、前記受信タイミングでの前記報知情報の間欠的な受信を開始し、
前記ユーザプレーン用基地局は、前記次の更新タイミングの後に、前記受信タイミングに合わせた前記報知情報の間欠的な送信を開始することを特徴とする請求項１乃至５のいずれか一項に記載の無線通信システム。
【請求項７】
前記無線通信端末と前記ユーザプレーン用基地局とは、定期的な更新ポイントでシステム情報を更新するように構成されており、
前記受信タイミングは、次の更新タイミングの後に、前記無線通信端末と前記ユーザプレーン用基地局とに通知されることを特徴とする請求項１乃至５のいずれか一項に記載の無線通信システム。
【請求項８】
前記受信タイミングは、前記無線通信端末が前記ユーザプレーン用基地局からの前記報知情報の間欠受信を開始する時刻と、該間欠受信が行われる周期と、該周期において前記報知情報を受信する時間間隔とによって特定されることを特徴とする請求項１乃至６のいずれか一項に記載の無線通信システム。
【請求項９】
前記ユーザプレーン用基地局は、第１無線アクセス技術の無線基地局であり、
前記制御プレーン用基地局は、前記第１無線アクセス技術よりもカバレッジエリアが広い第２無線アクセス技術の無線基地局であることを特徴とする請求項１乃至７のいずれか一項に記載の無線通信システム。
【請求項１０】
制御プレーンとユーザプレーンとの双方のデータを用いて無線通信を行う無線通信端末と、
前記無線通信端末と前記制御プレーンのデータを送受信する制御プレーン用基地局と、
前記無線通信端末と前記ユーザプレーンのデータを送受信するユーザプレーン用基地局と、
前記無線通信端末と前記ユーザプレーン用基地局とを制御する制御装置と、を具備する無線通信システムで用いられる間欠送信方法であって、
前記ユーザプレーン用基地局配下の全ての無線通信端末が、同じ受信タイミングで、前記ユーザプレーン用基地局からの報知情報を間欠的に受信する工程と、
前記ユーザプレーン用基地局が、前記受信タイミングに合わせて、前記報知情報を間欠的に送信する工程と、を有することを特徴とする間欠送信方法。
【発明の詳細な説明】
【技術分野】
【０００１】
本発明は、無線通信端末がＣ−ＰｌａｎｅデータとＵ−Ｐｌａｎｅデータとを異なる無線基地局を介して送受信する無線通信システム及び間欠送信方法に関する。
【背景技術】
【０００２】
近年、無線通信端末がＣ−ＰｌａｎｅデータとＵ−Ｐｌａｎｅデータとを異なる無線基地局を介して送受信する無線通信システムが検討されている。例えば、かかる無線通信システムにおいて、無線通信端末は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）など、カバレッジが大きく安定性の高い無線アクセス技術（ＲＡＴ）の無線基地局とＣ−Ｐｌａｎｅデータを送受信し、ＬＴＥ（Ｌｏｎｇ  Ｔｅｒｍ  Ｅｖｏｌｕｔｉｏｎ）など、高速伝送が可能な無線基地局とＵ−Ｐｌａｎｅデータを送受信可能とする。
【０００３】
また、このような無線通信システムにおける省電力化方式として、無線通信端末が無線基地局からの報知情報を間欠的に受信する間欠受信（ＤＲＸ：Ｄｉｓｃｏｎｔｉｎｕｏｕｓ  Ｒｅｃｅｐｔｉｏｎ）や、無線基地局が報知情報を間欠的に送信する間欠送信（ＤＴＸ：Ｄｉｓｃｏｎｔｉｎｕｏｕｓ  Ｒｅｃｅｐｔｉｏｎ）を行うことも検討されている。
【先行技術文献】
【特許文献】
【０００４】
【特許文献１】特開２００２−１５８６０９号公報
【発明の概要】
【発明が解決しようとする課題】
【０００５】
しかしながら、無線通信端末がＣ−ＰｌａｎｅデータとＵ−Ｐｌａｎｅデータとを異なる無線基地局を介して送受信する無線通信システムにおいて、Ｕ−Ｐｌａｎｅデータを送受信する無線基地局（以下、Ｕ−Ｐｌａｎｅ基地局という）の配下に複数の無線通信端末が存在する場合、無線通信端末毎にＵ−Ｐｌａｎｅ基地局からの報知情報の受信タイミングが異なるため、Ｕ−Ｐｌａｎｅ基地局は、報知情報を常時送信し続けなければならないという問題点があった。
【０００６】
本発明は、かかる点に鑑みてなされたものであり、無線通信端末がＣ−ＰｌａｎｅデータとＵ−Ｐｌａｎｅデータとを異なる無線基地局を介して送受信する無線通信システムにおいて、Ｕ−Ｐｌａｎｅ基地局配下に複数の無線通信端末が存在する場合であっても、Ｕ−Ｐｌａｎｅ基地局の間欠送信を可能とし、Ｕ−Ｐｌａｎｅ基地局の省電力化を図ることが可能な無線通信システム及び間欠送信方法を提供することを目的とする。
【課題を解決するための手段】
【０００７】
本発明の第１側面に係る無線通信システムは、制御プレーンとユーザプレーンとの双方のデータを用いて無線通信を行う無線通信端末と、前記無線通信端末と前記制御プレーンのデータを送受信する制御プレーン用基地局と、前記無線通信端末と前記ユーザプレーンのデータを送受信するユーザプレーン用基地局と、前記無線通信端末と前記ユーザプレーン用基地局とを制御する制御装置と、を具備する無線通信システムであって、前記ユーザプレーン用基地局配下の全ての無線通信端末が、同じ受信タイミングで、前記ユーザプレーン用基地局からの報知情報を間欠的に受信し、前記ユーザプレーン用基地局は、前記受信タイミングに合わせて、前記報知情報を間欠的に送信することを特徴とする。
【０００８】
この構成によれば、制御プレーン用のデータとユーザプレーン用のデータとを異なる無線基地局を介して送受信する無線通信システムにおいて、ユーザプレーン用基地局配下に複数の無線通信端末が存在する場合であっても、全ての無線通信端末が、同じ受信タイミングで間欠受信を行うので、ユーザプレーン用基地局は、当該受信タイミングに合わせて、間欠送信を行うことができる。この結果、ユーザプレーン用基地局の省電力化を図ることができる。
【０００９】
本発明の第２側面に係る間欠送信方法は、制御プレーンとユーザプレーンとの双方のデータを用いて無線通信を行う無線通信端末と、前記無線通信端末と前記制御プレーンのデータを送受信する制御プレーン用基地局と、前記無線通信端末と前記ユーザプレーンのデータを送受信するユーザプレーン用基地局と、前記無線通信端末と前記ユーザプレーン用基地局とを制御する制御装置と、を具備する無線通信システムで用いられる間欠送信方法であって、前記ユーザプレーン用基地局配下の全ての無線通信端末が、同じ受信タイミングで、前記ユーザプレーン用基地局からの報知情報を間欠的に受信する工程と、前記ユーザプレーン用基地局が、前記受信タイミングに合わせて、前記報知情報を間欠的に送信する工程と、を有する。
【発明の効果】
【００１０】
本発明によれば、無線通信端末がＣ−ＰｌａｎｅデータとＵ−Ｐｌａｎｅデータとを異なる無線基地局を介して送受信する無線通信システムにおいて、Ｕ−Ｐｌａｎｅ基地局配下に複数の無線通信端末が存在する場合であっても、Ｕ−Ｐｌａｎｅ基地局の間欠送信を可能とし、Ｕ−Ｐｌａｎｅ基地局の省電力化を図ることが可能な無線通信システム及び間欠送信方法を提供できる。
【図面の簡単な説明】
【００１１】
【図１】本発明の第１の実施形態に係る無線通信システムの構成図である。
【図２】本発明の第１の実施形態に係るＵ−Ｐｌａｎｅ基地局の間欠送信を説明するための図である
【図３】本発明の第１の実施形態に係る無線通信システムを構成する各装置の機能構成図である。
【図４】本発明の第１の実施形態に係る無線通信システムの前提動作を示すシーケンス図である。
【図５】本発明の第１の実施形態に係るＵ−Ｐｌａｎｅ基地局が間欠送信を行うための動作を示すシーケンス図である。
【図６】本発明の第２の実施形態に係る無線通信システムを構成する各装置の機能構成図である。
【図７】本発明の第２の実施形態に係るＵ−Ｐｌａｎｅ基地局が間欠送信を行うための動作を示すシーケンス図である。
【図８】本発明の第３の実施形態に係る無線通信システムを構成する各装置の機能構成図である。
【図９】本発明の第３の実施形態に係るＵ−Ｐｌａｎｅ基地局が間欠送信を行うための動作を示すシーケンス図である。
【図１０】本発明の変更例１に係るＵ−Ｐｌａｎｅ基地局が間欠送信を行うための動作を示すシーケンス図である。
【図１１】本発明の変更例２に係るＵ−Ｐｌａｎｅ基地局が間欠送信を行うための動作を示すシーケンス図である。
【図１２】本発明の変更例３に係るＵ−Ｐｌａｎｅ基地局が間欠送信を行うための動作を示すシーケンス図である。
【発明を実施するための形態】
【００１２】
以下、本発明の実施の形態について説明する。
【００１３】
［第１の実施形態］
＜無線通信システムの全体概略構成＞
図１は、第１の実施形態に係る無線通信システムの構成図である。図１に示すように、無線通信システムは、Ｃ−Ｐｌａｎｅ（制御プレーン）とＵ−Ｐｌａｎｅ（ユーザプレーン）との双方のデータを用いて無線通信を行う無線通信端末１０ａ及び１０ｂと、無線通信端末１０ａ及び１０ｂとＣ−Ｐｌａｎｅのデータを送受信するＣ−Ｐｌａｎｅ基地局（制御プレーン用基地局）２０と、無線通信端末１０ａ及び１０ｂとＵ−Ｐｌａｎｅデータを送受信するＵ−Ｐｌａｎｅ基地局（ユーザプレーン用基地局）３０と、無線通信端末１０ａ及び１０ｂとＵ−Ｐｌａｎｅ基地局３０とを制御する制御装置４０と、を具備する。
【００１４】
第１の実施形態に係る無線通信システムにおいて、Ｃ−Ｐｌａｎｅ基地局２０とＵ−Ｐｌａｎｅ基地局３０とは、同じ無線アクセス技術（ＲＡＴ）の無線基地局であってもよいし、異なるＲＡＴの無線基地局であってもよい。Ｃ−Ｐｌａｎｅ基地局２０とＵ−Ｐｌａｎｅ基地局３０とが異なるＲＡＴの無線基地局である場合、無線通信端末１０ａ及び１０ｂは、Ｃ−ＰｌａｎｅデータとＵ−Ｐｌａｎｅデータとを、それぞれのデータ特性に応じたＲＡＴを使用して送受信する。
【００１５】
ここで、ＲＡＴとは、無線通信端末１０ａ及び１０ｂが無線通信を行う無線アクセスシステム内で用いられる無線通信方式である。ＲＡＴは、例えば、ＧＳＭ、ＰＤＣ、ＵＭＴＳ、ＬＴＥ、ＬＴＥ−Ａｄｖａｎｃｅｄ、Ｂｅｙｏｎｄ  ＬＴＥ、ＷＬＡＮ（Ｗｉｒｅｌｅｓｓ  Ｌｏｃａｌ  Ａｒｅａ  Ｎｅｔｗｏｒｋ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）方式などを含む。
【００１６】
また、Ｃ−Ｐｌａｎｅとは、通信制御用のプロトコル群を示すものであり、Ｃ−Ｐｌａｎｅデータとは、かかるプロトコル群で送受信される制御データである。Ｃ−Ｐｌａｎｅデータは、通信継続のために必須となる制御データであるため、安定的に送受信されることが好ましい。このため、Ｃ−Ｐｌａｎｅデータ用のＲＡＴとしては、例えば、ＧＳＭ、ＰＤＣ、ＵＭＴＳなど、カバレッジエリアが大きく安定性の高いＲＡＴが好ましい。
【００１７】
また、Ｕ−Ｐｌａｎｅとは、ユーザデータの伝送用のプロトコル群を示すものであり、Ｕ−Ｐｌａｎｅデータとは、かかるプロトコル群で送受信されるユーザデータである。Ｕ−Ｐｌａｎｅデータは、バースト的なデータになり易く、高速で送受信されることが好ましい。このため、Ｕ−Ｐｌａｎｅデータ用のＲＡＴとしては、例えば、ＬＴＥやＬＴＥ−Ａｄｖａｎｃｅｄなど、高速伝送が可能なＲＡＴが好ましい。なお、Ｕ−Ｐｌａｎｅデータ用のＲＡＴは、無線品質など種々の条件に応じて、無線通信中に適応的に変更されてもよい。
【００１８】
以上のように、図１に示す無線通信システムでは、無線通信端末１０ａ及び１０ｂは、Ｃ−Ｐｌａｎｅデータ及びＵ−Ｐｌａｎｅデータを、それぞれのデータ特性に応じたＲＡＴの無線基地局を介して送受信する。したがって、無線通信端末１０ａ及び１０ｂは、Ｃ−Ｐｌａｎｅデータを安定的に送受信できるとともに、Ｕ−Ｐｌａｎｅデータを高速に送受信することができ、効率的な無線通信を行うことができる。
【００１９】
以下、無線通信端末１０ａ及び１０ｂを区別しない場合、無線通信端末１０と総称する。なお、Ｃ−Ｐｌａｎｅ基地局２０及びＵ−Ｐｌａｎｅ基地局３０に接続する無線通信端末１０の数や、ＲＡＴの数、各ＲＡＴのネットワーク構成は、図１に示す数に限られるものではない。また、制御装置４０は、Ｃ−Ｐｌａｎｅ基地局２０及びＵ−Ｐｌａｎｅ基地局３０に、直接接続されていてもよいし、種々のネットワーク装置を介して接続されていてもよい。また、Ｃ−Ｐｌａｎｅ基地局２０及びＵ−Ｐｌａｎｅ基地局３０は、互いに直接データを送受信可能な通信インフェースを備えていてもよい。
【００２０】
次に、第１の実施形態に係るＵ−Ｐｌａｎｅ基地局３０の間欠送信について説明する。図２は、第１の実施形態に係るＵ−Ｐｌａｎｅ基地局の間欠送信を説明するための図である。図２に示すように、Ｕ−Ｐｌａｎｅ基地局３０から無線通信端末１０ａ及び１０ｂに対しては、Ｕ−Ｐｌａｎｅデータと報知情報とが送信される。無線通信端末１０ａ及び１０ｂは、報知情報を受信し、受信した報知情報に基づいて、自端末宛てのＵ−Ｐｌａｎｅデータを検出する。
【００２１】
ここで、報知情報とは、無線通信端末１０ａ及び１０ｂが自端末宛てのＵ−Ｐｌａｎｅデータを検出するための情報である。例えば、報知情報には、共有データチャネルで自端末宛てのＵ−Ｐｌａｎｅデータが送信されるサブフレームの情報などが含まれる。
【００２２】
図２に示すように、無線通信端末１０ａ及び１０ｂは、自端末宛てのＵ−Ｐｌａｎｅデータが存在する場合、報知情報を常時受信し続ける。一方、無線通信端末１０ａ及び１０ｂは、自端末宛てのＵ−Ｐｌａｎｅデータが一定期間以上存在しない場合、報知情報の間欠受信を開始する。かかる間欠受信により、無線通信端末１０ａ及び１０ｂは、自端末の省電力化を図ることができる。
【００２３】
また、無線通信端末１０ａ及び１０ｂの各々は、Ｕ−Ｐｌａｎｅ基地局３０配下の他の無線通信端末１０と同じ受信タイミングで、Ｕ−Ｐｌａｎｅ基地局３０からの報知情報を間欠的に受信する。Ｕ−Ｐｌａｎｅ基地局３０は、当該受信タイミングに合わせて、報知情報を間欠的に送信する。かかる間欠送信により、Ｕ−Ｐｌａｎｅ基地局３０は、自局の省電力化を図ることができる。
【００２４】
また、上述のような報知情報の受信タイミングは、図２に示すＤＲＸ開始時刻Ｔ、ＤＲＸ間隔ＴＩ及びＤＲＸ周期ＣＬによって特定される。ここで、ＤＲＸ開始時刻Ｔとは、無線通信端末１０ａ及び１０ｂがＵ−Ｐｌａｎｅ基地局３０からの報知情報の間欠受信を開始する時刻を示すものである。また、ＤＲＸ周期ＣＬとは、当該間欠受信が行われる周期を示すものである。また、ＤＲＸ間隔ＴＩとは、ＤＲＸ周期ＣＬにおいて前記報知情報が受信される時間間隔（すなわち、無線通信端末１０におけるＵ−Ｐｌａｎｅ基地局３０との通信用の受信回路のオン期間）を示すものである。後述するＤＲＸパラメタとは、以上のＤＲＸ開始時刻Ｔ、ＤＲＸ間隔ＴＩ、ＤＲＸ周期ＣＬなど、報知情報の受信タイミングを特定するための情報である。
【００２５】
以上のように、第１の実施形態に係る無線通信システムでは、Ｕ−Ｐｌａｎｅ基地局３０配下の各無線通信端末１０のＵ−Ｐｌａｎｅ基地局３０からの報知情報の受信タイミングを同期させることにより、Ｕ−Ｐｌａｎｅ基地局３０からの報知情報の間欠送信を可能とする。第１の実施形態では、報知情報の受信タイミングを特定するためのＤＲＸパラメタを制御装置４０主導で決定する例を説明する。
【００２６】
＜無線通信システムの詳細構成＞
次に、第１の実施形態に係る無線通信システムの詳細構成について説明する。第１の実施形態に係る無線通信システムを構成する各装置（すなわち、無線通信端末１０、Ｃ−Ｐｌａｎｅ基地局２０、Ｕ−Ｐｌａｎｅ基地局３０、制御装置４０）は、それぞれ、プロセッサ、メモリ、送受信回路などを含むハードウェアを有しており、メモリには、プロセッサによって実行されるソフトウェアモジュールが記憶されている。後述する各装置の機能構成は、上述のハードウェアによって実現されてもよいし、プロセッサによって実行されるソフトウェアモジュールによって実現されてもよいし、両者の組み合わせによって実現されてもよい。図３は、第１の実施形態に係る無線通信システムを構成する各装置の機能構成図である。
【００２７】
（１）制御装置４０
図３に示すように、制御装置４０は、受信部４１、ＤＲＸパラメタ決定部４２、ＤＲＸパラメタ送信部４３を具備する。
【００２８】
受信部４１は、Ｕ−Ｐｌａｎｅ基地局３０配下の無線通信端末１０から、Ｃ−Ｐｌａｎｅ基地局２０を介して、無線通信端末１０のコーデック周期を受信する。同様に、受信部４１は、無線通信端末１０のバッテリー残量を受信してもよい。
【００２９】
また、受信部４１は、Ｕ−Ｐｌａｎｅ基地局３０のトラヒック量を受信する。なお、受信部４１は、Ｕ−Ｐｌａｎｅ基地局３０のトラヒック量をＵ−Ｐｌａｎｅ基地局３０から直接受信してもよいし、不図示のトラヒック収集装置などから受信してもよい。
【００３０】
ＤＲＸパラメタ決定部４２は、受信部４１によって受信されたＵ−Ｐｌａｎｅ基地局３０のトラヒック量、Ｕ−Ｐｌａｎｅ基地局３０配下の無線通信端末１０のコーデック周期及びバッテリー残量の少なくとも一つに基づいて、ＤＲＸパラメタを決定する。上述のように、ＤＲＸパラメタは、ＤＲＸ開始時刻、ＤＲＸ間隔、ＤＲＸ周期を含む。
【００３１】
具体的には、ＤＲＸパラメタ決定部４２は、受信部４１によって受信された無線通信端末１０のコーデック周期に基づいて、ＤＲＸ間隔を決定する。例えば、コーデック周期が４０ｍｓであり、コーデック方式がＧ．７１１である場合、ＤＲＸパラメタ決定部４２は、ＤＲＸ間隔を４０ｍｓ±Ｘｍｓの誤差範囲で決定する。
【００３２】
また、ＤＲＸパラメタ決定部４２は、受信部４１によって受信されたＵ−Ｐｌａｎｅ基地局３０のトラヒック量が所定の閾値未満である場合、例えば、ＤＲＸ間隔（更新後）＝ＤＲＸ間隔（更新前）＊Ｎ（Ｎは、１より小さい正の数）の計算式を用いて、すなわち、現在のＤＲＸ間隔に１より小さい正の数Ｎを乗算することによって、ＤＲＸ間隔を短くしてもよい。一方、ＤＲＸパラメタ決定部４２は、Ｕ−Ｐｌａｎｅ基地局３０のトラヒック量が所定の閾値以上である場合、ＤＲＸ間隔（更新後）＝ＤＲＸ間隔（更新前）＊Ｎ（Ｎは、１より大きい正の数）の計算式を用いて、すなわち、現在のＤＲＸ間隔に１より大きい正の数Ｎを乗算することによって、ＤＲＸ間隔を長くしてもよい。
【００３３】
また、ＤＲＸパラメタ決定部４２は、受信部４１によって受信された無線通信端末１０のバッテリー残量が所定の閾値未満である場合、例えば、ＤＲＸ間隔（更新後）＝ｍｉｎ（ＤＲＸ間隔（更新前）＊Ｎ（Ｎは、１より小さい正の数），Ｃｏｄｅｃ周期）の計算式を用いて、すなわち、現在のＤＲＸ間隔に１より小さい数のＮを乗算した値とＣｏｄｅｃ周期とのいずれか小さい方の値を用いることによって、ＤＲＸ間隔を短くしてもよい。一方、ＤＲＸパラメタ決定部４２は、無線通信端末１０のバッテリー残量が所定の閾値以上である場合、例えば、ＤＲＸ間隔（更新後）＝ｍａｘ（ＤＲＸ間隔（更新前）＊Ｎ（Ｎは、１より大きい正の数），Ｃｏｄｅｃ周期）の計算式を用いて、すなわち、現在のＤＲＸ間隔に１より大きい数のＮを乗算した値とＣｏｄｅｃ周期とのいずれか大きい方の値を用いることによって、ＤＲＸ間隔を長くしてもよい。
【００３４】
また、ＤＲＸパラメタ決定部４２は、Ｕ−Ｐｌａｎｅ基地局３０のトラヒック量が所定の閾値未満である場合や、無線通信端末１０のバッテリー残量が所定の閾値未満である場合、例えば、ＤＲＸ周期（更新後）＝ＤＲＸ周期（更新前）＊Ｎ（Ｎは、１より大きい正の数）や、ＤＲＸ周期（更新後）＝ｍａｘ（ＤＲＸ周期（更新前）＊Ｎ（Ｎは、１より大きい正の数），Ｃｏｄｅｃ周期）などの計算式を用いて、ＤＲＸ周期を所定周期より長くしてもよい。また、ＤＲＸパラメタ決定部４２は、Ｕ−Ｐｌａｎｅ基地局３０のトラヒック量が所定の閾値以上である場合や、無線通信端末１０のバッテリー残量が所定の閾値以上である場合、例えば、ＤＲＸ周期（更新後）＝ＤＲＸ周期（更新前）＊Ｎ（Ｎは、１より小さい正の数）や、ＤＲＸ周期（更新後）＝ｍｉｎ（ＤＲＸ周期（更新前）＊Ｎ（Ｎは、１より小さい正の数），Ｃｏｄｅｃ周期）などの計算式を用いて、ＤＲＸ周期を所定周期より短くしてもよい。
【００３５】
ＤＲＸパラメタ送信部４３は、Ｃ−Ｐｌａｎｅ基地局２０に対して、ＤＲＸパラメタ決定部４２によって決定されたＤＲＸパラメタを送信する。なお、ＤＲＸパラメタ送信部４３は、Ｃ−Ｐｌａｎｅ基地局２０とともにＵ−Ｐｌａｎｅ基地局３０に対して、ＤＲＸパラメタを送信してもよい。
【００３６】
（２）Ｃ−Ｐｌａｎｅ基地局２０
Ｃ−Ｐｌａｎｅ基地局２０は、ＤＲＸパラメタ受信部２１、Ｃ−Ｐｌａｎｅ通信部２２を具備する。
【００３７】
ＤＲＸパラメタ受信部２１は、制御装置４０からＤＲＸパラメタを受信する。
【００３８】
Ｃ−Ｐｌａｎｅ通信部２２は、無線通信端末１０とＣ−Ｐｌａｎｅデータを送受信する。具体的には、Ｃ−Ｐｌａｎｅ通信部２２は、無線通信端末１０に対して、ＤＲＸパラメタ受信部２１によって受信されたＤＲＸパラメタを送信する。
【００３９】
（３）無線通信端末１０
無線通信端末１０は、Ｃ−Ｐｌａｎｅ通信部１１、Ｕ−Ｐｌａｎｅ通信部１２、ＤＲＸ制御部１３を具備する。
【００４０】
Ｃ−Ｐｌａｎｅ通信部１１は、Ｃ−Ｐｌａｎｅ基地局２０とＣ−Ｐｌａｎｅデータを送受信する。具体的には、Ｃ−Ｐｌａｎｅ通信部１１は、Ｃ−Ｐｌａｎｅ基地局２０から、ＤＲＸ開始時刻、ＤＲＸ間隔、ＤＲＸ周期を含むＤＲＸパラメタを受信する。
【００４１】
Ｕ−Ｐｌａｎｅ通信部１２は、Ｕ−Ｐｌａｎｅ基地局３０とＵ−Ｐｌａｎｅデータを送受信する。具体的には、Ｕ−Ｐｌａｎｅ通信部１２は、Ｕ−Ｐｌａｎｅ基地局３０からの報知情報を受信し、受信した報知情報に基づいて、自端末宛てのＵ−Ｐｌａｎｅデータを検出して受信する。また、Ｕ−Ｐｌａｎｅ通信部１２は、ＤＲＸ制御部１３によって制御された受信タイミングで、Ｕ−Ｐｌａｎｅ基地局３０からの報知情報を間欠的に受信する。
【００４２】
ＤＲＸ制御部１３は、Ｕ−Ｐｌａｎｅ通信部１２による報知情報の受信タイミングを制御する。具体的には、ＤＲＸ制御部１３は、Ｃ−Ｐｌａｎｅ通信部１１により受信されたＤＲＸ開始時刻、ＤＲＸ間隔、ＤＲＸ周期によって特定される受信タイミングで、Ｕ−Ｐｌａｎｅ通信部１２が上述の報知情報を受信するように、Ｕ−Ｐｌａｎｅ基地局３０との通信用の受信回路のオン、オフを制御する。
【００４３】
（４）Ｕ−Ｐｌａｎｅ基地局３０
Ｕ−Ｐｌａｎｅ基地局３０は、ＤＲＸパラメタ受信部３１、ＤＴＸ制御部３２、Ｕ−Ｐｌａｎｅ通信部３３を具備する。
【００４４】
ＤＲＸパラメタ受信部３１は、制御装置４０から、ＤＲＸ開始時刻、ＤＲＸ間隔、ＤＲＸ周期を含むＤＲＸパラメタを受信する。なお、ＤＲＸパラメタ受信部３１は、Ｃ−Ｐｌａｎｅ基地局２０又は無線通信端末１０を介して、ＤＲＸパラメタを受信してもよい。
【００４５】
ＤＴＸ制御部３２は、Ｕ−Ｐｌａｎｅ通信部３３による報知情報の送信タイミングを制御する。具体的には、ＤＴＸ制御部３２は、ＤＲＸパラメタ受信部３１により受信されたＤＲＸ開始時刻、ＤＲＸ間隔、ＤＲＸ周期によって特定される無線通信端末１０の受信タイミングに合わせて、Ｕ−Ｐｌａｎｅ通信部１２が上述の報知情報を送信するように、無線通信端末１０との通信用の送信回路のオン、オフを制御する。
【００４６】
Ｕ−Ｐｌａｎｅ通信部３３は、無線通信端末１０とＵ−Ｐｌａｎｅデータを送受信する。具体的には、Ｕ−Ｐｌａｎｅ通信部３３は、各無線通信端末１０が自端末宛てのＵ−Ｐｌａｎｅデータを検出するために必要な報知情報と、Ｕ−Ｐｌａｎｅデータとを送信する。また、Ｕ−Ｐｌａｎｅ通信部３３は、ＤＴＸ制御部３２によって制御された送信タイミングで、報知情報を間欠的に送信する。
【００４７】
＜無線通信システムの動作＞
次に、以上のように構成された第１の実施形態に係る無線通信システムの動作について説明する。
【００４８】
（１）前提動作
図４は、第１の実施形態に係る無線通信システムの前提動作を示すシーケンス図である。図４に示すように、無線通信端末１０は、Ｃ−Ｐｌａｎｅ基地局２０に対して、自端末に対する無線リソースの割当を要求する無線リソース割当要求を送信する（ステップＳ１０１）。Ｃ−Ｐｌａｎｅ基地局２０は、無線リソース割当要求に応じて、無線通信端末１０に対して無線リソースを割当て、当該無線リソースを用いた個別制御チャネルの設定を要求する（ステップＳ１０２）。
【００４９】
無線通信端末１０は、個別制御チャネルの設定要求に応じて、Ｃ−Ｐｌａｎｅ基地局２０との間で、Ｃ−Ｐｌａｎｅデータを送受信するための個別制御チャネルの設定処理を行う（ステップＳ１０３）。個別制御チャネルの設定処理が完了すると、Ｃ−Ｐｌａｎｅ基地局２０は、その旨を無線通信端末１０に対して通知する（ステップＳ１０４）。
【００５０】
無線通信端末１０は、個別制御チャネルの設定処理の完了通知に応じて、Ｕ−Ｐｌａｎｅ基地局３０とＵ−Ｐｌａｎｅデータを送受信するための共有データチャネルを設定するための情報を、Ｃ−Ｐｌａｎｅ基地局２０に対して送信する（ステップＳ１０５）。
【００５１】
Ｃ−Ｐｌａｎｅ基地局２０は、無線通信端末１０からの要求に応じて、Ｕ−Ｐｌａｎｅ基地局３０の周波数、変調方式など、Ｕ−Ｐｌａｎｅ基地局３０と共有データチャネルを設定するための情報を無線通信端末１０に送信する（ステップＳ１０６）。
【００５２】
無線通信端末１０は、ステップＳ１０６でＣ−Ｐｌａｎｅ基地局２０から受信した情報に基づいて、Ｕ−Ｐｌａｎｅ基地局３０との間で、共有データチャネルの設定処理を行う（ステップＳ１０７）。共有データチャネルの設定処理が完了すると、無線通信端末１０は、その旨をＣ−Ｐｌａｎｅ基地局２０に対して通知する（ステップＳ１０８）。
【００５３】
以上のように、無線通信端末１０は、Ｃ−Ｐｌａｎｅ基地局２０との間で個別制御チャネルを設定し、設定された個別制御チャネルを介してＣ−Ｐｌａｎｅ基地局２０とＣ−Ｐｌａｎｅデータを送受信する。
【００５４】
また、無線通信端末１０は、Ｕ−Ｐｌａｎｅ基地局３０との間で共有データチャネルを設定し、設定された共有データチャネルを介して、Ｕ−Ｐｌａｎｅ基地局３０からＵ−Ｐｌａｎｅデータを受信する。なお、図示しないが、Ｃ−Ｐｌａｎｅ基地局２０は、無線通信端末１０に対して、報知情報を送信し続けており、無線通信端末１０は、Ｃ−Ｐｌａｎｅ基地局２０から受信した報知情報に基づいて、共有データチャネルを介して送信される自端末宛てのＵ−Ｐｌａｎｅデータを検出する。
【００５５】
本願発明は、以上のような前提下において、Ｕ−Ｐｌａｎｅ基地局３０が上述の報知情報の間欠送信を行うことにより、Ｕ−Ｐｌａｎｅ基地局３０の省電力化を図るものである。
【００５６】
（２）間欠送信動作
図５は、Ｕ−Ｐｌａｎｅ基地局が間欠送信を行うための動作を示すシーケンス図である。なお、図５では、１つの無線通信端末１０のみを図示するが、多数の無線通信端末１０が図４に示す手順により、Ｃ−Ｐｌａｎｅ基地局２０とＵ−Ｐｌａｎｅ基地局３０と通信を行っていてもよい。
【００５７】
制御装置４０は、上述のように、Ｕ−Ｐｌａｎｅ基地局３０のトラヒック量、Ｕ−Ｐｌａｎｅ基地局３０配下の無線通信端末１０のコーデック周期及びバッテリー残量の少なくとも一つに基づいて、ＤＲＸパラメタを決定する（ステップＳ２０１）。
【００５８】
制御装置４０は、Ｃ−Ｐｌａｎｅ基地局２０に対して、ステップＳ２０１で決定されたＤＲＸパラメタを送信する（ステップＳ２０２）。Ｃ−Ｐｌａｎｅ基地局２０は、制御装置４０から受信したＤＲＸパラメタを無線通信端末１０に送信する（ステップＳ２０３）。
【００５９】
無線通信端末１０は、Ｃ−Ｐｌａｎｅ基地局２０から受信したＤＲＸパラメタに従って、Ｕ−Ｐｌａｎｅ基地局３０からの報知情報の間欠受信を開始する（ステップＳ２０４）。具体的には、無線通信端末１０は、ＤＲＸパラメタに含まれるＤＲＸ開始時刻、ＤＲＸ間隔、ＤＲＸ周期によって報知情報の受信タイミングを特定し、特定された受信タイミングで、Ｕ−Ｐｌａｎｅ基地局３０からの報知情報を間欠的に受信する。
【００６０】
制御装置４０は、Ｕ−Ｐｌａｎｅ基地局３０に対して、ステップＳ２０１で決定されたＤＲＸパラメタを送信する（ステップＳ２０５）。
【００６１】
Ｕ−Ｐｌａｎｅ基地局３０は、制御装置４０から受信したＤＲＸパラメタに従って、報知情報の間欠送信を開始する（ステップＳ２０６）。具体的には、Ｕ−Ｐｌａｎｅ基地局３０は、ＤＲＸパラメタに含まれるＤＲＸ開始時刻、ＤＲＸ間隔、ＤＲＸ周期によって無線通信端末１０による報知情報の受信タイミングを特定し、特定された受信タイミングに合わせて、報知情報を間欠的に送信する。
【００６２】
なお、ステップＳ２０５において、制御装置４０は、当該ＤＲＸパラメタをＣ−Ｐｌａｎｅ基地局２０から受信してもよいし、無線通信端末１０から受信してもよい。
【００６３】
＜作用・効果＞
第１の実施形態に係る無線通信システムによれば、Ｃ−ＰｌａｎｅデータとＵ−Ｐｌａｎｅデータとを異なる無線基地局を介して送受信する無線通信端末１０は、Ｕ−Ｐｌａｎｅ基地局３０配下の他の無線通信端末１０と同じ受信タイミングで間欠受信を行う。このため、Ｕ−Ｐｌａｎｅ基地局３０配下に複数の無線通信端末１０が存在する場合であっても、Ｕ−Ｐｌａｎｅ基地局３０は、当該受信タイミングに合わせて、間欠送信を行うことができる。この結果、Ｕ−Ｐｌａｎｅ基地局３０の省電力化を図ることができる。
【００６４】
［第２の実施形態］
次に、第２の実施形態に係る無線通信システムについて、第１の実施形態との相違点を中心に説明する。第２実施形態では、無線通信端末１０主導でＤＲＸパラメタを決定する。
【００６５】
＜無線通信システムの詳細構成＞
図６は、第２の実施形態に係る無線通信システムを構成する各装置の機能構成図である。図６に示すように、無線通信端末１０は、ＤＲＸパラメタ決定部１４を更に具備し、Ｃ−Ｐｌａｎｅ基地局２０は、ＤＲＸパラメタ送信部２３を更に具備する。
【００６６】
無線通信端末１０のＤＲＸパラメタ決定部１４は、自端末のコーデック周期、バッテリー残量、自端末における要求ＱｏＳ、要求ＱｏＥの少なくとも一つに基づいて、ＤＲＸパラメタを決定する。上述のように、ＤＲＸパラメタは、ＤＲＸ開始時刻、ＤＲＸ間隔、ＤＲＸ周期を含む。
【００６７】
具体的には、ＤＲＸパラメタ決定部１４は、自端末のコーデック周期に基づいて、ＤＲＸ間隔を決定する。例えば、コーデック周期が４０ｍｓであり、コーデック方式がＧ．７１１である場合、ＤＲＸパラメタ決定部１４は、ＤＲＸ間隔を４０ｍｓ±Ｘｍｓの誤差範囲で決定する。
【００６８】
また、ＤＲＸパラメタ決定部１４は、受信部４１によって受信された無線通信端末１０のバッテリー残量が所定の閾値未満である場合、例えば、例えば、ＤＲＸ間隔（更新後）＝ｍｉｎ（ＤＲＸ間隔（更新前）＊Ｎ（Ｎは、１より小さい正の数），Ｃｏｄｅｃ周期）の計算式を用いて、すなわち、現在のＤＲＸ間隔に１より小さい数のＮを乗算した値とＣｏｄｅｃ周期とのいずれか小さい方の値を用いることによって、ＤＲＸ間隔を短くしてもよい。一方、ＤＲＸパラメタ決定部１４は、無線通信端末１０のバッテリー残量が所定の閾値以上である場合、例えば、ＤＲＸ間隔（更新後）＝ｍａｘ（ＤＲＸ間隔（更新前）＊Ｎ（Ｎは、１より大きい正の数），Ｃｏｄｅｃ周期）の計算式を用いて、すなわち、現在のＤＲＸ間隔に１より大きい数のＮを乗算した値とＣｏｄｅｃ周期とのいずれか大きい方の値を用いることによって、ＤＲＸ間隔を長くしてもよい。
【００６９】
同様に、ＤＲＸパラメタ決定部１４は、要求ＱｏＥや要求ＱｏＳが所定レベルより高い場合、ＤＲＸ間隔を所定間隔より長くしてもよい。一方、ＤＲＸパラメタ決定部１４は、要求ＱｏＥや要求ＱｏＳが所定レベルより低い場合、ＤＲＸ間隔を所定間隔より短くしてもよい。
【００７０】
また、ＤＲＸパラメタ決定部１４は、無線通信端末１０のバッテリー残量が所定の閾値未満である場合や、要求ＱｏＥや要求ＱｏＳが所定レベルより低い場合、例えば、ＤＲＸ周期（更新後）＝ＤＲＸ周期（更新前）＊Ｎ（Ｎは、１より大きい正の数）や、ＤＲＸ周期（更新後）＝ｍａｘ（ＤＲＸ周期（更新前）＊Ｎ（Ｎは、１より大きい正の数），Ｃｏｄｅｃ周期）などの計算式を用いて、ＤＲＸ周期を所定周期より長くしてもよい。また、ＤＲＸパラメタ決定部１４は、無線通信端末１０のバッテリー残量が所定の閾値以上である場合や、要求ＱｏＥや要求ＱｏＳが所定レベルより高い場合、例えば、ＤＲＸ周期（更新後）＝ＤＲＸ周期（更新前）＊Ｎ（Ｎは、１より小さい正の数）や、ＤＲＸ周期（更新後）＝ｍｉｎ（ＤＲＸ周期（更新前）＊Ｎ（Ｎは、１より小さい正の数），Ｃｏｄｅｃ周期）などの計算式を用いて、ＤＲＸ周期を所定周期より短くしてもよい。
【００７１】
Ｃ−Ｐｌａｎｅ通信部１１は、ＤＲＸパラメタ決定部１４によって決定されたＤＲＸパラメタをＣ−Ｐｌａｎｅ基地局２０に送信する。
【００７２】
Ｃ−Ｐｌａｎｅ基地局２０のＣ−Ｐｌａｎｅ通信部２２は、無線通信端末１０からＤＲＸパラメタを受信する。ＤＲＸパラメタ送信部２３は、Ｃ−Ｐｌａｎｅ通信部２２によって受信されたＤＲＸパラメタを制御装置４０に送信する。
【００７３】
制御装置４０の受信部４１は、無線通信端末１０で決定された、ＤＲＸ開始時刻、ＤＲＸ間隔及びＤＲＸ周期を含むＤＲＸパラメタをＣ−Ｐｌａｎｅ基地局２０から受信する。
【００７４】
ＤＲＸパラメタ決定部４２は、受信部４１で受信されたＤＲＸ開始時刻、ＤＲＸ間隔及びＤＲＸ周期によって特定される受信タイミングを、Ｕ−Ｐｌａｎｅ基地局３０配下の全ての無線通信端末１０に適用可能か否かを判断する。
【００７５】
具体的には、ＤＲＸパラメタ決定部４２は、Ｕ−Ｐｌａｎｅ基地局３０のトラヒック量が所定の閾値未満の場合、受信部４１によって受信されたＤＲＸ周期をＵ−Ｐｌａｎｅ基地局３０配下の全ての無線通信端末１０に適用可能であると判断する。同様に、ＤＲＸパラメタ決定部４２は、Ｕ−Ｐｌａｎｅ基地局３０のトラヒック量が所定の閾値以上であり、かつ、受信部４１によって受信されたＤＲＸ周期が所定の閾値未満である場合、当該ＤＲＸ周期を全ての無線通信端末１０に適用可能であると判断する。
【００７６】
一方、ＤＲＸパラメタ決定部４２は、Ｕ−Ｐｌａｎｅ基地局３０のトラヒック量が所定の閾値以上であり、かつ、受信部４１によって受信されたＤＲＸ周期が所定の閾値以上である場合、当該ＤＲＸ周期を全ての無線通信端末１０に適用できないと判断する。これは、無線通信端末１０が、バッテリー残量の消耗防止のために、所定周期（例えば、５ｍｓ）より長い周期（例えば、１０ｍｓ）のＤＲＸ周期を決定した場合に、全ての無線通信端末１０に当該ＤＲＸ周期を適用することにより、要求ＱｏＳ、要求ＱｏＥ、要求時間などを満たすことができなくなるのを防止するためである。
【００７７】
また、ＤＲＸパラメタ決定部４２は、Ｕ−Ｐｌａｎｅ基地局３０のトラヒック量が所定の閾値未満の場合、受信部４１によって受信されたＤＲＸ間隔をＵ−Ｐｌａｎｅ基地局３０配下の全ての無線通信端末１０に適用可能であると判断する。ＤＲＸパラメタ決定部４２は、Ｕ−Ｐｌａｎｅ基地局３０のトラヒック量が所定の閾値以上であり、かつ、受信部４１によって受信されたＤＲＸ間隔が所定の閾値以上である場合、当該ＤＲＸ間隔を全ての無線通信端末１０に適用可能であると判断する。
【００７８】
一方、ＤＲＸパラメタ決定部４２は、Ｕ−Ｐｌａｎｅ基地局３０のトラヒック量が所定の閾値以上であり、かつ、受信部４１によって受信されたＤＲＸ間隔が所定の閾値未満である場合、当該ＤＲＸ間隔を全ての無線通信端末１０に適用できないと判断する。これは、無線通信端末１０が、バッテリー残量の消耗防止のために、所定時間より短い時間のＤＲＸ間隔を決定した場合に、他の無線通信端末１０に当該ＤＲＸ間隔を適用することにより、要求ＱｏＳ、要求ＱｏＥ、要求時間などを満たすことができなくなるのを防止するためである。
【００７９】
また、ＤＲＸパラメタ決定部４２は、受信部４１によって受信されたＤＲＸ周期が所定期間内に受信された複数のＤＲＸ周期のうちの最小値である場合、当該ＤＲＸ周期を他の無線通信端末１０に適用可能であると判断してもよい。
【００８０】
一方、ＤＲＸパラメタ決定部４２は、受信部４１によって受信されたＤＲＸ周期が所定期間内に受信された複数のＤＲＸ周期の最小値ではない場合、当該ＤＲＸ周期を他の無線通信端末１０に適用できないと判断してもよい。
【００８１】
また、ＤＲＸパラメタ決定部４２は、受信部４１によって受信されたＤＲＸ間隔が所定期間内に受信された複数のＤＲＸ周期のうちの最大値である場合、当該ＤＲＸ周期を他の無線通信端末１０に適用可能であると判断してもよい。
【００８２】
一方、ＤＲＸパラメタ決定部４２は、受信部４１によって受信されたＤＲＸ周期が所定期間内に受信された複数のＤＲＸ周期の最大値ではない場合、当該ＤＲＸ周期を他の無線通信端末１０に適用できないと判断してもよい。
【００８３】
ＤＲＸパラメタ送信部４３は、ＤＲＸパラメタ決定部４２による判断結果をＣ−Ｐｌａｎｅ基地局２０に送信する。また、ＤＲＸパラメタ送信部４３は、ＤＲＸパラメタ決定部４２による判断結果が肯定的である場合、受信部４１によって受信されたＤＲＸパラメタを、Ｃ−Ｐｌａｎｅ基地局２０に送信する。
【００８４】
Ｃ−Ｐｌａｎｅ基地局２０のＤＲＸパラメタ受信部２１は、制御装置４０から判断結果を受信する。また、ＤＲＸパラメタ受信部２１は、制御装置４０による判断結果が肯定的である場合、制御装置４０からＤＲＸパラメタを受信する。
【００８５】
Ｃ−Ｐｌａｎｅ通信部２２は、ＤＲＸパラメタ受信部２１によって受信された判断結果を無線通信端末１０に送信する。また、Ｃ−Ｐｌａｎｅ通信部２２は、ＤＲＸパラメタ受信部２１によって受信されたＤＲＸパラメタをＵ−Ｐｌａｎｅ基地局３０配下の他の無線通信端末１０に送信する。
【００８６】
＜無線通信システムの動作＞
図７は、Ｕ−Ｐｌａｎｅ基地局が間欠送信を行うための動作を示すシーケンス図である。なお、図７において、上述のように、無線通信端末１０ａ及び１０ｂは、Ｕ−Ｐｌａｎｅ基地局３０との間で共有データチャネルを設定しているものとする。また、Ｃ−Ｐｌａｎｅ基地局２０は、無線通信端末１０ａ及び１０ｂに対して、報知情報を送信し続けており、無線通信端末１０ａ及び１０ｂは、Ｕ−Ｐｌａｎｅ基地局３０から受信した報知情報に基づいて、共有データチャネルを介して送信される自端末宛てのＵ−Ｐｌａｎｅデータを検出しているものとする。
【００８７】
無線通信端末１０ａは、自端末のコーデック周期、バッテリー残量、自端末における要求ＱｏＳ、要求ＱｏＥの少なくとも一つに基づいて、ＤＲＸパラメタを決定する（ステップＳ３０１）。無線通信端末１０ａは、決定したＤＲＸパラメタをＣ−Ｐｌａｎｅ基地局２０に送信する（ステップＳ３０２）。Ｃ−Ｐｌａｎｅ基地局２０は、無線通信端末１０ａから受信したＤＲＸパラメタを制御装置４０に送信する（ステップＳ３０３）。
【００８８】
制御装置４０は、無線通信端末１０ａによって決定されたＤＲＸパラメタをＵ−Ｐｌａｎｅ基地局３０配下の全ての無線通信端末（ここでは、無線通信端末１０ａ及び１０ｂ）に適用可能か否かを判断する（ステップＳ３０４）。
【００８９】
制御装置４０による判断結果が肯定的である場合（ステップＳ３０４；Ｙｅｓ）、制御装置４０は、Ｃ−Ｐｌａｎｅ基地局２０に対して、当該ＤＲＸパラメタと、肯定的な判断結果、すなわち、無線通信端末１０ａによって決定されたＤＲＸパラメタを適用可能であることを示す許可応答メッセージとを送信する（ステップＳ３０５）。
【００９０】
Ｃ−Ｐｌａｎｅ基地局２０は、無線通信端末１０ａに対して、制御装置４０から受信した許可応答メッセージを送信する（ステップＳ３０６ａ）。また、Ｃ−Ｐｌａｎｅ基地局２０は、無線通信端末１０ｂに対して、制御装置４０から受信したＤＲＸパラメタを送信する（ステップＳ３０６ｂ）。
【００９１】
無線通信端末１０ａは、Ｃ−Ｐｌａｎｅ基地局２０から許可応答メッセージを受信した場合、ステップＳ３０１で決定されたＤＲＸパラメタに従って、Ｕ−Ｐｌａｎｅ基地局３０からの報知情報の間欠受信を開始する（ステップＳ３０７ａ）。
【００９２】
無線通信端末１０ｂは、Ｃ−Ｐｌａｎｅ基地局２０からＤＲＸパラメタ受信した場合、当該ＤＲＸパラメタに従って、Ｕ−Ｐｌａｎｅ基地局３０からの報知情報の間欠受信を開始する（ステップＳ３０７ｂ）。
【００９３】
また、制御装置４０による判断結果が肯定的である場合（ステップＳ３０４；Ｙｅｓ）、制御装置４０は、Ｕ−Ｐｌａｎｅ基地局３０に対して、無線通信端末１０ａによって決定されたＤＲＸパラメタを送信する（ステップＳ３０８）。Ｕ−Ｐｌａｎｅ基地局３０は、制御装置４０から受信したＤＲＸパラメタに従って、報知情報の間欠送信を開始する（ステップＳ３０９）。
【００９４】
一方、制御装置４０による判断結果が否定的である場合（ステップＳ３０４；Ｎｏ）、制御装置４０は、Ｃ−Ｐｌａｎｅ基地局２０に対して、否定的な判断結果、すなわち、無線通信端末１０ａによって決定されたＤＲＸパラメタを適用できない旨を示す拒否応答メッセージを送信する（ステップＳ３１０）。Ｃ−Ｐｌａｎｅ基地局２０は、制御装置４０から受信した拒否応答メッセージを無線通信端末１０ａに送信する（ステップＳ３１１）。
【００９５】
＜作用・効果＞
第２の実施形態に係る無線通信システムによれば、無線通信端末１０主導でＤＲＸパラメタを決定することができるので、無線通信端末１０の省電力化をより効果的に図ることができる。また、制御装置４０が、特定の無線通信端末１０で決定されたＤＲＸパラメタを全てに無線通信端末１０に適用可能であるか否かを判断するので、当該ＤＲＸパラメタの適用により他の無線通信端末１０の要求ＱｏＳ、要求ＱｏＥ、要求時間などが満たされなくなってしまうのを防止できる。
【００９６】
［第３の実施形態］
次に、第３の実施形態に係る無線通信システムについて、第１の実施形態との相違点を中心に説明する。第３実施形態では、Ｕ−Ｐｌａｎｅ基地局３０主導でＤＲＸパラメタを決定する。
【００９７】
＜無線通信システムの詳細構成＞
図８は、第３の実施形態に係る無線通信システムを構成する各装置の機能構成図である。図８に示すように、Ｕ−Ｐｌａｎｅ基地局３０は、ＤＲＸパラメタ決定部３４、ＤＲＸパラメタ送信部３５を更に具備する。
【００９８】
Ｕ−Ｐｌａｎｅ基地局３０のＤＲＸパラメタ決定部３４は、自局に接続する無線通信端末１０の数、自局に接続する無線通信端末１０のバッテリー残量、自局のトラヒック量の少なくとも一つに基づいて、ＤＲＸパラメタを決定する。上述のように、ＤＲＸパラメタは、ＤＲＸ開始時刻、ＤＲＸ間隔、ＤＲＸ周期を含む。
【００９９】
具体的には、ＤＲＸパラメタ決定部３４は、自局に接続する無線通信端末１０の数が所定の閾値以上である場合、ＤＲＸ間隔を所定時間より長くし、ＤＲＸ周期を所定周期よりも短くする。一方、ＤＲＸパラメタ決定部３４は、無線通信端末１０の数が所定の閾値未満である場合、ＤＲＸ間隔を所定時間より短くし、ＤＲＸ周期を所定周期よりも長くする。
【０１００】
また、ＤＲＸパラメタ決定部３４は、自局に接続する無線通信端末１０の数の他に、無線通信端末１０のバッテリー残量や、自局のトラヒック量に基づいて、ＤＲＸパラメタを決定してもよい。なお、無線通信端末１０のバッテリー残量や、Ｕ−Ｐｌａｎｅ基地局３０のトラヒック量に基づくＤＲＸパラメタの決定については、第１の実施形態で述べた通りである。
【０１０１】
ＤＲＸパラメタ送信部３５は、ＤＲＸパラメタ決定部３４によって決定されたＤＲＸパラメタを制御装置４０に送信する。
【０１０２】
制御装置４０の受信部４１は、Ｕ−Ｐｌａｎｅ基地局３０で決定された、ＤＲＸ開始時刻、ＤＲＸ間隔及びＤＲＸ周期を含むＤＲＸパラメタを受信する。
【０１０３】
ＤＲＸパラメタ決定部４２は、受信部４１で受信されたＤＲＸ開始時刻、ＤＲＸ間隔及びＤＲＸ周期によって特定される受信タイミングを、Ｕ−Ｐｌａｎｅ基地局３０配下の全ての無線通信端末１０に適用可能か否かを判断する。なお、かかる判断は、行われなくてもよい。
【０１０４】
また、ＤＲＸパラメタ決定部４２は、受信部４１で受信されたＤＲＸ開始時刻、ＤＲＸ間隔及びＤＲＸ周期を含むＤＲＸパラメタを保持する。
【０１０５】
ＤＲＸパラメタ送信部４３は、ＤＲＸパラメタ決定部４２による判断結果をＵ−Ｐｌａｎｅ基地局３０に送信する。また、ＤＲＸパラメタ送信部４３は、ＤＲＸパラメタ決定部４２による判断結果が肯定的である場合、受信部４１によって受信されたＤＲＸパラメタを、Ｃ−Ｐｌａｎｅ基地局２０に送信する。
【０１０６】
なお、ＤＲＸパラメタ送信部４３は、ＤＲＸパラメタ決定部４２によって上記判断が行われない場合であっても、受信部４１によって受信されたＤＲＸパラメタを、Ｃ−Ｐｌａｎｅ基地局２０に送信してもよい。
【０１０７】
また、ＤＲＸパラメタ送信部４３は、Ｕ−Ｐｌａｎｅ基地局３０に新たな無線通信端末１０が接続された場合、該無線通信端末１０に対してＣ−Ｐｌａｎｅ基地局２０を介して、ＤＲＸパラメタ決定部４２によって保持されているＤＲＸパラメタを送信してもよい。
【０１０８】
Ｃ−Ｐｌａｎｅ基地局２０のＤＲＸパラメタ受信部２１は、制御装置４０からＤＲＸパラメタを受信する。また、Ｃ−Ｐｌａｎｅ通信部２２は、ＤＲＸパラメタ受信部２１によって受信されたＤＲＸパラメタをＵ−Ｐｌａｎｅ基地局３０配下の全ての無線通信端末１０に送信する。
【０１０９】
＜無線通信システムの動作＞
図９は、Ｕ−Ｐｌａｎｅ基地局が間欠送信を行うための動作を示すシーケンス図である。なお、図９において、上述のように、無線通信端末１０ａ及び１０ｂは、Ｕ−Ｐｌａｎｅ基地局３０との間で共有データチャネルを設定しているものとする。また、Ｃ−Ｐｌａｎｅ基地局２０は、無線通信端末１０ａ及び１０ｂに対して、報知情報を送信し続けており、無線通信端末１０ａ及び１０ｂは、Ｕ−Ｐｌａｎｅ基地局３０から受信した報知情報に基づいて、共有データチャネルを介して送信される自端末宛てのＵ−Ｐｌａｎｅデータを検出しているものとする。
【０１１０】
Ｕ−Ｐｌａｎｅ基地局３０は、自局に接続する無線通信端末１０の数に基づいて、ＤＲＸパラメタを決定する（ステップＳ４０１）。Ｕ−Ｐｌａｎｅ基地局３０は、決定したＤＲＸパラメタを制御装置４０に送信する（ステップＳ４０２）。
【０１１１】
制御装置４０は、Ｕ−Ｐｌａｎｅ基地局３０によって決定されたＤＲＸパラメタをＵ−Ｐｌａｎｅ基地局３０配下の全ての無線通信端末１０ａ及び１０ｂに適用可能か否かを判断する（ステップＳ４０３）。なお、かかるステップは、省略されてもよい。
【０１１２】
制御装置４０による判断結果が肯定的である場合（ステップＳ４０３；Ｙｅｓ）、制御装置４０は、Ｃ−Ｐｌａｎｅ基地局２０に対して、Ｕ−Ｐｌａｎｅ基地局３０によって決定されたＤＲＸパラメタを送信する（ステップＳ４０４）。
【０１１３】
Ｃ−Ｐｌａｎｅ基地局２０は、無線通信端末１０ａ及び１０ｂに対して、制御装置４０から受信したＤＲＸパラメタを送信する（ステップＳ４０５ａ、Ｓ４０５ｂ）。無線通信端末１０ａ及び１０ｂは、それぞれ、Ｃ−Ｐｌａｎｅ基地局２０から受信したＤＲＸパラメタに従って、Ｕ−Ｐｌａｎｅ基地局３０からの報知情報の間欠受信を開始する（ステップＳ４０６ａ、Ｓ４０６ｂ）。
【０１１４】
また、制御装置４０による判断結果が肯定的である場合（ステップＳ４０３；Ｙｅｓ）、制御装置４０は、Ｕ−Ｐｌａｎｅ基地局３０に対して、Ｕ−Ｐｌａｎｅ基地局３０によって決定されたＤＲＸパラメタを適用可能であることを示す許可応答メッセージを送信する（ステップＳ４０７）。
【０１１５】
Ｕ−Ｐｌａｎｅ基地局３０は、制御装置４０から受信したＤＲＸパラメタに従って、報知情報の間欠送信を開始する（ステップＳ４０８）。
【０１１６】
一方、制御装置４０による判断結果が否定的である場合（ステップＳ４０３；Ｎｏ）、制御装置４０は、Ｕ−Ｐｌａｎｅ基地局３０に対して、Ｕ−Ｐｌａｎｅ基地局３０によって決定されたＤＲＸパラメタを適用できない旨を示す拒否応答メッセージを送信する（ステップＳ４０９）。
【０１１７】
なお、ステップＳ４０７及びＳ４０９において、制御装置４０は、Ｕ−Ｐｌａｎｅ基地局３０に対して、Ｃ−Ｐｌａｎｅ基地局２０を介して、許可応答メッセージ及び拒否応答メッセージを送信してもよい。
【０１１８】
＜作用・効果＞
第３の実施形態に係る無線通信システムによれば、Ｕ−Ｐｌａｎｅ基地局３０主導でＤＲＸパラメタを決定することができるので、Ｕ−Ｐｌａｎｅ基地局３０の省電力化をより効果的に図ることができる。また、制御装置４０が、特定の無線通信端末１０で決定されたＤＲＸパラメタを全てに無線通信端末１０に適用可能であるか否かを判断するので、当該ＤＲＸパラメタの適用により他の無線通信端末１０の要求ＱｏＳ、要求ＱｏＥ、要求時間などが満たされなくなってしまうのを防止できる。
【０１１９】
［変更例１］
次に、第１乃至第３の実施形態の変更例１に係る無線通信システムについて、第１乃至第３の実施形態との相違点を中心に説明する。変更例１では、無線通信端末１０及びＵ−Ｐｌａｎｅ基地局３０が、定期的な更新ポイントでシステム情報を更新するように構成されている。変更例１では、無線通信端末１０は、次の更新ポイントの後に、第１乃至第３の実施形態で述べたように決定されたＤＲＸパラメタに従って、Ｕ−Ｐｌａｎｅ基地局３０からの報知情報の間欠受信を開始する。同様に、Ｕ−Ｐｌａｎｅ基地局３０は、次の更新ポイントの後に、第１乃至第３の実施形態で述べたように決定されたＤＲＸパラメタに従って、報知情報の間欠送信を開始する。
【０１２０】
図１０は、Ｕ−Ｐｌａｎｅ基地局が間欠送信を行うための動作を示すシーケンス図である。なお、図１０では、第１の実施形態で述べたように制御装置４０主導でＤＲＸパラメタが決定される例を説明する。なお、ステップＳ５０１〜Ｓ５０６の詳細な動作は、図５のステップＳ２０１〜Ｓ２０６と同様である。
【０１２１】
図１０に示すように、無線通信端末１０及びＵ−Ｐｌａｎｅ基地局３０は、定期的な更新ポイントでシステム情報を更新するように構成されている。ここで、更新ポイントとは、システム情報（例えば、ＳＩＢ（Ｓｙｓｔｅｍ  Ｉｎｆｏｍａｔｉｏｎ  Ｂｌｏｃｋ））を適用するタイミングを示すものである。無線通信端末１０及びＵ−Ｐｌａｎｅ基地局３０は、更新ポイントの前に受信したシステム情報を当該更新ポイントの後に適用する。かかる更新ポイントは、例えば、Ｃ−Ｐｌａｎｅ基地局２０から無線通信端末１０及びＵ−Ｐｌａｎｅ基地局３０に通知されるＳＩＢ２のＭｏｄｉｆｉｃａｔｉｏｎ  Ｂｏｕｎｄａｒｙによって特定される。
【０１２２】
図１０において、無線通信端末１０及びＵ−Ｐｌａｎｅ基地局３０は、制御装置４０によって決定されたＤＲＸパラメタを受信する（ステップＳ５０３、Ｓ５０５）。ここで、無線通信端末１０及びＵ−Ｐｌａｎｅ基地局３０のＤＲＸパラメタの受信タイミングは同じではない。このため、無線通信端末１０及びＵ−Ｐｌａｎｅ基地局３０が、ＤＲＸパラメタの受信に応じて直ちに間欠受信及び間欠送信を開始すると、間欠受信及び間欠送信の開始タイミングがずれて、同期できない恐れがある。
【０１２３】
そこで、無線通信端末１０は、ＤＲＸパラメタの受信に応じて直ちに間欠受信及び間欠送信を開始するのではなく、次の更新ポイントの後に、当該更新ポイントの前に受信されたＤＲＸパラメタによって特定される受信タイミング従って、報知情報の間欠受信を開始する（ステップＳ５０４）。
【０１２４】
同様に、Ｕ−Ｐｌａｎｅ基地局３０は、次の更新ポイントの後に、当該更新ポイントの前に受信されたＤＲＸパラメタによって特定される報知情報の受信タイミングに合わせて、報知情報の間欠送信を開始する（ステップＳ５０６）。
【０１２５】
なお、第２及び第３の実施形態で述べたようにＤＲＸパラメタが決定された場合においても、図１０と同様に、無線通信端末１０及びＵ−Ｐｌａｎｅ基地局３０が、次の更新ポイントの後に、ＤＲＸパラメタによって特定される受信タイミングに従って、間欠受信及び間欠送信を開始する。このような場合、図７のステップＳ３０７ａ、Ｓ３０７ｂ及びＳ３０９の前に、又は、図９のステップＳ４０６ａ、Ｓ４０６ｂ及びＳ４０８の前に、図１０に示す更新ポイントが設けられることになる。
【０１２６】
変更例１に係る無線通信システムによれば、無線通信端末１０及びＵ−Ｐｌａｎｅ基地局３０が、次の更新ポイントの後に、当該更新ポイントの前に受信されたＤＲＸパラメタによって特定される受信タイミングに従って、報知情報の間欠受信及び間欠送信を開始する。したがって、無線通信端末１０及びＵ−Ｐｌａｎｅ基地局３０における間欠受信及び間欠送信の開始タイミングがずれて、同期できなくなるのを防止することができる。
【０１２７】
［変更例２］
次に、第１乃至第３の実施形態の変更例２に係る無線通信システムについて、第１乃至第３の実施形態との相違点を中心に説明する。変更例２では、無線通信端末１０及びＵ−Ｐｌａｎｅ基地局３０が、定期的な更新ポイントでシステム情報を更新するように構成されている。変更例２では、第１乃至第３の実施形態で述べたように決定されたＤＲＸパラメタは、次の更新ポイントの後に、無線通信端末１０及びＵ−Ｐｌａｎｅ基地局３０に通知される。無線通信端末１０は、当該ＤＲＸパラメタの受信に応じて直ちに、当該ＤＲＸパラメタに従って、Ｕ−Ｐｌａｎｅ基地局３０からの報知情報の間欠受信を開始する。同様に、無線通信端末１０は、当該ＤＲＸパラメタの受信に応じて直ちに、当該ＤＲＸパラメタに従って、報知情報の間欠送信を開始する。
【０１２８】
図１１は、Ｕ−Ｐｌａｎｅ基地局が間欠送信を行うための動作を示すシーケンス図である。なお、図１１では、第１の実施形態で述べたように制御装置４０主導でＤＲＸパラメタが決定される例を説明する。なお、ステップＳ６０１〜Ｓ６０６の詳細な動作は、図５のステップＳ２０１〜Ｓ２０６と同様である。
【０１２９】
図１１に示すように、制御装置４０及びＣ−Ｐｌａｎｅ基地局２０は、定期的な更新ポイントでシステム情報を更新するように構成されている。
【０１３０】
図１０において、Ｃ−Ｐｌａｎｅ基地局２０は、制御装置４０から受信したＤＲＸパラメタを、次の更新ポイントの後に、無線通信端末１０に通知する（ステップＳ６０３）。同様に、制御装置４０は、次の更新ポイントの後に、ＤＲＸパラメタをＵ−Ｐｌａｎｅ基地局３０に通知する（ステップＳ６０５）。
【０１３１】
無線通信端末１０は、Ｃ−Ｐｌａｎｅ基地局２０からのＤＲＸパラメタの受信に応じて直ちに、当該ＤＲＸパラメタによって特定される受信タイミングに従って、報知情報の間欠受信を開始する（ステップＳ６０４）。
【０１３２】
同様に、Ｕ−Ｐｌａｎｅ基地局３０は、制御装置４０からのＤＲＸパラメタの受信に応じて直ちに、当該ＤＲＸパラメタによって特定される受信タイミングに従って、報知情報の間欠送信を開始する（ステップＳ６０６）。
【０１３３】
なお、第２及び第３の実施形態で述べたようにＤＲＸパラメタが決定された場合においても、図１０と同様に、ＤＲＸパラメタが、無線通信端末１０及びＵ−Ｐｌａｎｅ基地局３０に対して、次の更新ポイントの後に、通知されてもよい。このような場合、図７のステップＳ３０６ａ、Ｓ３０６ｂ及びＳ３０８は、次の更新ポイントの後に行われる。又は、図９のステップＳ４０５ａ、Ｓ４０５ｂ及びＳ４０７は、次の更新ポイントの後に行われる。
【０１３４】
変更例２に係る無線通信システムによれば、ＤＲＸパラメタが、無線通信端末１０及びＵ−Ｐｌａｎｅ基地局３０に対して、次の更新ポイントを経過してから通知される。また、無線通信端末１０及びＵ−Ｐｌａｎｅ基地局３０は、ＤＲＸパラメタの受信に応じて直ちに間欠受信及び間欠送信を開始する。したがって、無線通信端末１０及びＵ−Ｐｌａｎｅ基地局３０における間欠受信及び間欠送信の開始タイミングがずれて、同期できなくなるのを防止することができる。
【０１３５】
［変更例３］
次に、第１乃至第３の実施形態の変更例３に係る無線通信システムについて、第１乃至第３の実施形態との相違点を中心に説明する。変更例３では、第１乃至第３の実施形態を組み合わせた例について説明する。
【０１３６】
図１２は、Ｕ−Ｐｌａｎｅ基地局が間欠送信を行うための動作を示すシーケンス図である。なお、図１２では、無線通信端末１０とＵ−Ｐｌａｎｅ基地局３０と制御装置４０とのそれぞれにおいてＤＲＸパラメタ決定される例を説明する。
【０１３７】
無線通信端末１０は、第２の実施形態で述べたように、種々の条件に基づいて、ＤＲＸパラメタを決定する（ステップＳ７０１）。無線通信端末１０は、決定されたＤＲＸパラメタをＣ−Ｐｌａｎｅ基地局２０に送信する（ステップＳ７０２）。
【０１３８】
Ｃ−Ｐｌａｎｅ基地局２０は、制御装置４０に対して、無線通信端末１０から受信したＤＲＸパラメタを送信する（ステップＳ７０３）。また、Ｃ−Ｐｌａｎｅ基地局２０は、Ｕ−Ｐｌａｎｅ基地局３０に対して、無線通信端末１０から受信したＤＲＸパラメタを送信する（ステップＳ７０４）。
【０１３９】
Ｕ−Ｐｌａｎｅ基地局３０は、自局のみで取得可能な情報（例えば、Ｕ−Ｐｌａｎｅ基地局３０のトラヒックバッファ量）に基づいて、Ｃ−Ｐｌａｎｅ基地局２０から受信したＤＲＸパラメタを変更する(ステップＳ７０５)。Ｕ−Ｐｌａｎｅ基地局３０は、変更されたＤＲＸパラメタを制御装置４０に対して送信する（ステップＳ７０６）。
【０１４０】
制御装置４０は、ステップＳ７０３で受信したＤＲＸパラメタ（すなわち、無線通信端末１０ａで決定されたＤＲＸパラメタ）と、ステップＳ７０６で受信したＤＲＸパラメタ（すなわち、Ｕ−Ｐｌａｎｅ基地局３０で変更されたＤＲＸパラメタ）とに基づいて、Ｕ−Ｐｌａｎｅ基地局３０配下の無線通信端末１０に適用すべきＤＲＸパラメタを決定する（ステップＳ７０７）。
【０１４１】
制御装置４０は、Ｃ−Ｐｌａｎｅ基地局２０に対して、決定されたＤＲＸパラメタを送信する（ステップＳ７０８）。Ｃ−Ｐｌａｎｅ基地局２０は、無線通信端末１０に対して、制御装置４０から受信したＤＲＸパラメタを送信する（ステップＳ７０９）。無線通信端末１０は、Ｃ−Ｐｌａｎｅ基地局２０から受信したＤＲＸパラメタに従って、Ｕ−Ｐｌａｎｅ基地局３０からの報知情報の間欠受信を開始する（ステップＳ７１０）。
【０１４２】
制御装置４０は、Ｕ−Ｐｌａｎｅ基地局３０に対して、決定されたＤＲＸパラメタを送信する（ステップＳ７１１）。Ｕ−Ｐｌａｎｅ基地局３０は、制御装置４０から受信したＤＲＸパラメタに従って、Ｕ−Ｐｌａｎｅ基地局３０からの報知情報の間欠受信を開始する（ステップＳ７１２）。なお、Ｕ−Ｐｌａｎｅ基地局３０は、Ｃ−Ｐｌａｎｅ基地局２０を介して、制御装置４０によって決定されたＤＲＸパラメタを受信してもよい。
【０１４３】
［その他の実施形態］
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４４】
１０、１０ａ、１０ｂ…無線通信端末、２０…Ｃ−Ｐｌａｎｅ基地局、３０…Ｕ−Ｐｌａｎｅ基地局、４０…制御装置、１１…Ｃ−Ｐｌａｎｅ通信部、１２…Ｕ−Ｐｌａｎｅ通信部、１３…ＤＲＸ制御部、１４…ＤＲＸパラメタ決定部、２１…ＤＲＸパラメタ受信部、２２…Ｃ−Ｐｌａｎｅ通信部、２３…ＤＲＸパラメタ送信部、３１…ＤＲＸパラメタ受信部、３２…ＤＴＸ制御部、３３…Ｕ−Ｐｌａｎｅ通信部、３４…ＤＲＸパラメタ決定部、３５…ＤＲＸパラメタ送信部、４１…受信部、４２…ＤＲＸパラメタ決定部、４３…ＤＲＸパラメタ送信部
【図１】
0005466580.tif 000002
【図２】
0005466580.tif 000003
【図３】
0005466580.tif 000004
【図４】
0005466580.tif 000005
【図５】
0005466580.tif 000006
【図６】
0005466580.tif 000007
【図７】
0005466580.tif 000008
【図８】
0005466580.tif 000009
【図９】
0005466580.tif 000010
【図１０】
0005466580.tif 000011
【図１１】
0005466580.tif 000012
【図１２】
0005466580.tif 000013